(57)【特許請求の範囲】
【請求項１】
作業用のゴム手袋であって、
腕を保護する腕保護部と、手を保護する手保護部と、を備え、
前記腕保護部の外周面から突出した突出部であって、前記手保護部側から前記腕保護部のうち前記手保護部側とは反対側の末端側に向かって伝って流れる水の流路長を伸ばす突出部が設けられ、
前記突出部は、
前記腕保護部の軸周りに螺旋状に形成されていることを特徴とするゴム手袋。
【請求項２】
作業用のゴム手袋であって、
腕を保護する腕保護部と、手を保護する手保護部と、を備え、
前記腕保護部の外周面から突出した突出部であって、前記手保護部側から前記腕保護部のうち前記手保護部側とは反対側の末端側に向かって伝って流れる水の流路長を伸ばす突出部が設けられ、
前記突出部は、
前記腕保護部の軸周りに形成された突出部位を、前記腕保護部の軸方向に複数並べ、前記突出部位に複数の切欠部を設けることでラビリンス構造を有する形状に形成されていることを特徴とするゴム手袋。
【請求項３】
請求項２に記載のゴム手袋であって、
前記突出部位は、前記手保護部の側に向かって凸な複数の凸形状部を、前記腕保護部の軸周りに並べた形状に形成されているとともに、前記凸形状部の間に隙間を設けて前記切欠部としたことを特徴とするゴム手袋。
【発明の詳細な説明】
【技術分野】
【０００１】
本発明は、作業用のゴム手袋に関する。
【背景技術】
【０００２】
配電工事では、作業員は作業用のゴム手袋を着用して作業を行っている。
【発明の概要】
【発明が解決しようとする課題】
【０００３】
しかし、屋外では雨が降ることがあり、その場合ゴム手袋をしていても、ゴム手袋を伝って流れる水を媒介として、電線等の作業対象物から作業員の体に電気が伝わってしまい、作業員が感電する可能性がある。
【０００４】
本発明は、雨が降っても感電のおそれがある電気作業等の作業を継続可能なゴム手袋を提供することを目的とする。
【課題を解決するための手段】
【０００５】
本開示の第１の態様に係る作業用のゴム手袋は、腕保護部２０を保護する腕保護部２０の外周面から突出した突出部であって、手保護部１０を保護する手保護部側から、前記腕保護部２０のうち前記腕保護部２０側とは反対側の末端側に向かって伝って流れる水の流路長を伸ばす突出部が設けられ、前記突出部は、前記腕保護部２０の軸周りに螺旋状に形成されていることを特徴とする。
【０００６】
これによると、螺旋状に形成された突出部が、ゴム手袋の表面上を流れる水の流路長を伸ばしているので、ゴム手袋の表面上を流れる水が、ゴム手袋から離脱する確率が上がる。しかも、これによると、突出部は水が離脱しやすく、その突出部に沿って水が流れるので、水がゴム手袋から離脱する確率がさらに上がる。
【０００７】
したがって、本発明のゴム手袋は、表面に水がついても、水は作業員に届く前に高確率で離脱してしまうので、このゴム手袋を用いると、雨が降っても感電のおそれがある作業を継続することができる。
【０００８】
本開示の第２の態様に係る作業用のゴム手袋は、腕保護部２０を保護する腕保護部２０の外周面から突出した突出部であって、手保護部１０を保護する手保護部側から前記腕保護部２０のうち前記腕保護部２０側とは反対側の末端側に向かって伝って流れる水の流路長を伸ばす突出部が設けられ、前記突出部は、前記腕保護部２０の軸周りに形成された突出部位を、前記腕保護部２０の軸方向に複数並べ、前記突出部位に複数の切欠部を設けることでラビリンス構造を有する形状に形成されていることを特徴とする。
【０００９】
これによると、ラビリンス構造を有する突出部が、ゴム手袋の表面上を流れる水の流路長を伸ばしているので、ゴム手袋の表面上を流れる水が、ゴム手袋から離脱する確率が上がる。しかも、これによると、突出部は水が離脱しやすく、その突出部を迷路状に曲がりくねりながら水が流れるので、水がゴム手袋から離脱する確率がさらに上がる。
【００１０】
したがって、本発明のゴム手袋は、表面に水がついても、水は作業員に届く前に高確率で離脱してしまうので、このゴム手袋を用いると、雨が降っても感電のおそれがある作業を継続することができる。
【００１１】
なお、突出部位の形状は特に限定されるものではないが、例えば、ゴム手袋の手保護部１０の側に向かって凸な複数の凸形状部を、腕保護部２０の軸周りに並べるとともに、凸形状部の間に隙間を設けて切欠部としてもよい。
【図面の簡単な説明】
【００１２】
【図１】第１実施形態のゴム手袋であって（ａ）左手用のゴム手袋の正面図、及び（ｂ）右手用のゴム手袋の正面図である。
【図２】第２実施形態のゴム手袋であって（ａ）左手用のゴム手袋の正面図、及び（ｂ）右手用のゴム手袋の正面図である。
【図３】第３実施形態のゴム手袋であって（ａ）左手用のゴム手袋の正面図、及び（ｂ）右手用のゴム手袋の正面図である。
【発明を実施するための形態】
【００１３】
以下に本発明の例示的な実施形態について図面を参照しながら説明する。
（第１実施形態）
図１に示すように、本発明の第１実施形態のゴム手袋１は、作業員の手の部分が挿入される手保護部１０と、作業員の腕の部分が挿入される腕保護部２０とを有している。
【００１４】
このうち手保護部１０は、作業員の各指が挿入されるサック部１１と、手の平及び手の甲の部分を覆う甲部１２とを有している。
一方、腕保護部２０は、甲部１２に連通しており、手保護部１０側とは反対側の端には、他の部分よりも突出した端部２１が設けられている。
【００１５】
また、腕保護部２０は、手保護部１０との境目近傍から端部２１側に向かって、腕保護部２０の軸周りに螺旋状に形成された突出部２２が設けられている。この突出部２２は、腕保護部２０の外周面から突出した形状に形成されている。
【００１６】
このように形成された作業用のゴム手袋１は、突出部２２が形成されているので、手保護部１０側の先端から腕保護部２０の後端に至る水の流路長が、突出部２２の螺旋に沿って伸びる。
【００１７】
そのため、ゴム手袋１の表面上を流れる水が、ゴム手袋１から離脱する確率が上がる。しかも、突出部２２は水が離脱しやすく、その突出部２２に沿って水が流れるので、水がゴム手袋１から離脱する確率がさらに上がる。
【００１８】
したがって、このゴム手袋１は、表面に水がついても、水は作業員に届く前に高確率で離脱してしまうので、このゴム手袋１を用いると、雨が降っても感電のおそれがある作業を継続することができる。
【００１９】
また、このゴム手袋１は、突出部２２を有さない手袋の手形に凹凸を付けるだけで形成できるので、製造コストがアップしない。
また、ゴム手袋１は、形状が視認できるので、雨でも感電のおそれなく作業できるかどうかをチェックする管理が楽であり、その効果に永続性がある。
【００２０】
また、ゴム手袋１は、製品の安定性が良く、製品の良否の判断が簡単に行うことができる。
（第２実施形態）
次に、本発明の第２実施形態のゴム手袋１について説明する。
【００２１】
ただし、第２実施形態では、第１実施形態と異なる点を説明し、同じ点については同じ符号を用いて説明する。
図２に示すように、本発明の第２実施形態のゴム手袋１は、第１実施形態の突出部２２に相当する突出部２３の形状が第１実施形態と異なる。
【００２２】
第２実施形態の突出部２３は、腕保護部２０の軸周りに形成された突出部位２４を、腕保護部２０の軸方向に複数並べ、突出部位２４に複数の切欠部２５を設けることでラビリンス構造を有する形状に形成されている。
【００２３】
これによると、ラビリンス構造を有する突出部２３が、ゴム手袋１の表面上を流れる水の流路長を伸ばしているので、ゴム手袋１の表面上を流れる水が、ゴム手袋１から離脱する確率が上がる。しかも、これによると、突出部２３は水が離脱しやすく、その突出部２３を迷路状に曲がりくねりながら水が流れるので、水がゴム手袋１から離脱する確率がさらに上がる。
【００２４】
したがって、本実施形態のゴム手袋１は、表面に水がついても、水は作業員に届く前に高確率で離脱してしまうので、このゴム手袋１を用いると、雨が降っても感電のおそれがある作業を継続することができる。
（第３実施形態）
次に、本発明の第３実施形態のゴム手袋１について説明する。
【００２５】
ただし、第３実施形態では、第２実施形態と異なる点を説明し、同じ点については同じ符号を用いて説明する。
図３に示すように、本発明の第３実施形態のゴム手袋１は、第２実施形態の突出部２２に相当する突出部２６の形状が第２実施形態と異なる。
【００２６】
第３実施形態の突出部２６は、突出部位２７が、手保護部１０の側に向かって凸な複数の凸形状部２８を、腕保護部２０の軸周りに並べた形状に形成されているとともに、凸形状部２８の間に隙間を設けて切欠部２９を形成している。
【００２７】
このようにすると、突出部２６が第２実施形態に比べても複雑なラビリンス構造となるので、本実施形態のゴム手袋１は、表面に水がついても、水が作業員に届く前に高確率で離脱してしまう。そのため、このゴム手袋１を用いると、雨が降っても感電のおそれがある作業を継続することができる。
［他の実施形態］
以上、実施形態について説明したが、特許請求の範囲に記載された発明は、上記実施形態に限定されることなく、種々の形態を採り得ることは言うまでもない。
【００２８】
（１）上記実施形態では、突出部位として、直線的な形状、手保護部側に向かって凸な形状のものを示したが、これらに限るものではない。
（２）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００２９】
１…ゴム手袋、１０…手保護部、１１…サック部、１２…甲部、２０…腕保護部、
２１…端部、２２…突出部、２３…突出部、２４…突出部位、２５…切欠部、
２６…突出部、２７…突出部位、２８…凸形状部、２９…切欠部。
【図１】
0006705688.tif 000002
【図２】
0006705688.tif 000003
【図３】
0006705688.tif 000004